(57)【要約】      （修正有）【課題】ドライバーに対して注意喚起ができると共に、遊びや運動に夢中になっている子供達に対しても道路への飛び出しの危険性を思い出させることができる飛出事故防止装置を提供する。【解決手段】本飛出事故防止装置は、道路を走行中の自動車等の乗り物のドライバーに、道路に人が飛び出す可能性があることを注意喚起する注意喚起用表示体と、道路に面した建物から不注意に人が道路へ飛び出すことを防止するための飛出防止用警告手段と、前記注意喚起用表示体及び飛出防止用警告手段とが取り付けられた支柱とを備え、前記飛出防止用警告手段が、人の通過を検出する検出手段と、前記警告音声出力手段と、前記検出手段が、人の通過を検知した時に前記警告音声出力手段に警告音声を出力させる制御手段とを備えていることを特徴とする。【選択図】図１
0003156639.tif 000002
【実用新案登録請求の範囲】
【請求項１】
道路を走行中の自動車等の乗り物のドライバーに、道路に人が飛び出す可能性があることを注意喚起する注意喚起用表示体と、
道路に面した建物から不注意に人が道路へ飛び出すことを防止するための飛出防止用警告手段と、
前記注意喚起用表示体及び飛出防止用警告手段とが取り付けられた支柱と
を備え、
前記飛出防止用警告手段が、
人の通過を検出する検出手段と、
前記警告音声出力手段と、
前記検出手段が、人の通過を検知した時に前記警告音声出力手段に警告音声を出力させる制御手段と
を備えている
ことを特徴とする飛出事故防止装置。
【請求項２】
前記検出手段が、方向検出用の少なくとも二つの方向検出センサを備え、
前記少なくとも二つの方向検出センサが横方向に並べて設けられ、
前記制御装置が、少なくとも二つの方向検出センサからの検出結果に基づいて人の通過方向を判断し、人が道路に向かって出て行く方向に通過した時に、前記警告音声出力手段に警告音声を出力させるように構成されている
ことを特徴とする請求項１に記載の飛出事故防止装置。
【請求項３】
前記制御装置が、前記少なくとも二つの方向検出センサからの検出結果に基づいて、人の通過速度を算出し、通過速度が所定の速度以上の時に、前記警告音声出力手段に警告音声を出力させるように構成されている
ことを特徴とする請求項２に記載の飛出事故防止装置。
【請求項４】
前記検出手段が、高さ検出用の少なくとも二つの高さ検出センサを備え、
前記少なくとも二つの高さ検出センサが、縦方向に並べて設けられ、
前記制御装置が、少なくとも二つの高さ検出センサからの検出結果に基づいて、高さ検出センサの前を通過した人の身長を判断し、所定の身長以下の人が通過した時に、前記警告音声出力手段に警告音声を出力させるように構成されている
ことを特徴とする請求項１〜３の何れか一項に記載の飛出事故防止装置。
【請求項５】
さらに、光検出手段を備え、
前記制御装置が、前記光検出手段の検出結果に基づいて日中と夜間とを判断すると共に、少なくとも二つの方向検出センサからの検出結果に基づいて人の通過方向を判断し、
日中は、人が道路に向かって出て行く方向に通過した時に、前記警告音声出力手段に警告音声を出力させ、
夜間は、人が道路から建物に入っていく方向に通過した時に、前記警告音声出力手段に警告音声を出力させる
ことを特徴とする請求項２又は３に記載の飛出事故防止装置。
【請求項６】
さらに、タイマーを備え、
前記制御装置が、前記タイマーの検出結果に基づいて日中と夜間とを判断すると共に、少なくとも二つの方向検出センサからの検出結果に基づいて人の通過方向を判断し、
日中は、人が道路に向かって出て行く方向に通過した時に、前記警告音声出力手段に警告音声を出力させ、
夜間は、人が道路から建物に入っていく方向に通過した時に、前記警告音声出力手段に警告音声を出力させる
ことを特徴とする請求項２又は３に記載の飛出事故防止装置。
【考案の詳細な説明】
【技術分野】
【０００１】
本考案は、道路に面した玄関や入口から不注意に人が道路へ飛び出すことにより発生する人と自動車等の乗物との接触事故を未然に防止するための飛出事故防止装置に関する。
【背景技術】
【０００２】
従来から、人と自動車等の乗物との接触による交通事故は後を絶たず、深刻な社会問題になっている。特に、子供の道路への飛び出しによる交通事故は深刻な問題である。
このような道路への飛び出しによる交通事故を未然に防止するために、家庭や学校で子供に道路への飛び出しの危険性を教えたり、自動車教習所や運転免許センター等でドライバーに子供が道路へ飛び出す可能性があることを念頭において運転するよう指導したりしている。
そして、子供が地域、特に小学校や幼稚園の周辺や、子供がいる家の玄関には、ドライバーに対して子供が飛び出す可能性があることを知らせるために、子供が絵が表示された注意喚起用の看板等が立てられている。
【考案の開示】
【考案が解決しようとする課題】
【０００３】
しかし、従来からある注意喚起用の看板は、ドライバーに対して子供が飛び出す可能性があることを知らせるだけの効果しかなく、飛び出す可能性がある子供に対しては何らの警告にもならない。
考案者は、子供の道路への飛び出しによる交通事故を減少させるために鋭意研究を重ね、従来のようにドライバーに対して警告するだけでは道路への飛び出しによる交通事故を効果的に減少させることはできないことに着目し、ドライバーだけでなく、子供に対しても道路への飛び出しの危険性を警告することが効果的であることを見出した。
しかし、日常から家庭や学校で子供に対して道路への飛び出しの危険性を教えていたとしても、野球やサッカー等をしてボールを追いかけていたり、鬼ごっこをして鬼から逃げていたりする最中は、子供はその運動や遊びに夢中になっているため、道路への飛び出しの危険性等は忘れてしまいがちであるため、日常の交通道徳の教育だけでは子供の道路への飛び出しを効果的に減らすことはできない。
また、ドライバー用に設けられる注意喚起用の看板等を、子供達が見える位置に設けたとしても、遊びや運動に夢中になっている子供達がその看板に気付く可能性は極めて低い。
本考案は、ドライバーに対して注意喚起ができると共に、遊びや運動に夢中になっている子供達に対しても道路への飛び出しの危険性を思い出させることができる飛出事故防止装置を提供することを目的としている。
【課題を解決するための手段】
【０００４】
上記した目的を達成するために、本考案に係る飛出事故防止装置は、道路を走行中の自動車等の乗り物のドライバーに、道路に人が飛び出す可能性があることを注意喚起する注意喚起用表示体と、道路に面した建物から不注意に人が道路へ飛び出すことを防止するための飛出防止用警告手段と、前記注意喚起用表示体及び飛出防止用警告手段とが取り付けられた支柱とを備え、前記飛出防止用警告手段が、人の通過を検出する検出手段と、前記警告音声出力手段と、前記検出手段が、人の通過を検知した時に前記警告音声出力手段に道路への飛び出しを防止するための警告音声を出力させる制御手段とを備えていることを特徴とする。
前記検出手段は、例えば、方向検出用の少なくとも二つの方向検出センサを備えていてもよく、この場合、前記少なくとも二つの方向検出センサは横方向に並べて設けられ、前記制御装置は、少なくとも二つの方向検出センサからの検出結果に基づいて人の通過方向を判断し、人が道路に向かって出て行く方向に通過した時に、前記警告音声出力手段に警告音声を出力させるように構成され得る。
上記したように、検出センサが、例えば、方向検出用の少なくとも二つの方向検出センサを備えている場合、前記制御装置は、前記少なくとも二つの方向検出センサからの検出結果に基づいて、人の通過速度を算出し、通過速度が所定の速度以上の時に、前記警告音声出力手段に警告音声を出力させるように構成され得る。
また、前記検出手段は、例えば、高さ検出用の少なくとも二つの高さ検出センサを備えていてもよく、この場合、前記少なくとも二つの高さ検出センサは、縦方向に並べて設けられ、前記制御装置は、少なくとも二つの高さ検出センサからの検出結果に基づいて、高さ検出センサの前を通過した人の身長を判断し、所定の身長以下の人が通過した時に、前記警告音声出力手段に警告音声を出力させるように構成され得る。
さらに、本考案に係る飛出事故防止装置は、さらに、タイマー又は光検出手段を備えていてもよく、この場合、前記制御装置は、前記タイマー又は前記光検出手段の検出結果に基づいて日中と夜間とを判断すると共に、少なくとも二つの方向検出センサからの検出結果に基づいて人の通過方向を判断し、日中は、人が道路に向かって出て行く方向に通過した時に、前記警告音声出力手段に警告音声を出力させ、夜間は、人が道路から建物に入っていく方向に通過した時に、前記警告音声出力手段に警告音声を出力させるように構成され得る。
【考案の効果】
【０００５】
本考案に係る飛出事故防止装置は、道路を走行中の自動車等の乗り物のドライバーに、道路に人が飛び出す可能性があることを注意喚起する注意喚起用表示体と、道路に面した建物から不注意に人が道路へ飛び出すことを防止するための飛出防止用警告手段と、前記注意喚起用表示体及び飛出防止用警告手段とが取り付けられた支柱とを備え、前記飛出防止用警告手段が、子供の通過を検出する検出センサと、前記警告音声出力手段と、前記検出センサが、子供の通過を検知した時に前記警告音声出力手段に道路への飛び出しを防止するための警告音声を出力させる制御手段とを備えているので、注意喚起用表示体によってドライバーに対して、道路に人が飛び出す可能性があることを警告すると共に、建物から道路へ出ようとする人に対しては、警告音声によって道路への飛び出しが危険であることの注意を促す。警告音声を発することにより、例えば、遊びや運動に夢中になっている子供に対しても、道路への飛び出しが危険であることを気付かせることができ、道路への飛び出しを大幅に低減させることができる。このように、ドライバーへの警告と共に、人に対しても飛び出しに対する警告をすることにより、道路への飛び出しによる交通事故を大幅に低減させることができる。
また、前記検出センサとして方向検出用の少なくとも二つの方向検出センサを設け、前記少なくとも二つの方向検出センサを横方向に並べて設け、前記制御装置を、少なくとも二つの方向検出センサからの検出結果に基づいて人の通過方向を判断し、人が道路に向かって出て行く方向に通過した時に、前記警告音声出力手段に警告音声を出力させるように構成することにより、道路に出て行く時のみ警告音声を出力することができるようになるので、無駄な警告音声を出力することがない。無駄な警告音声を出力すると、うるさいばかりでなく、警告音声に慣れてしまう可能性があり、その結果、警告音声を聞いても注意を払わなくなる可能性で生じるが、このような問題が生じない。
さらに、前記制御装置を、前記少なくとも二つの方向検出センサからの検出結果に基づいて、人の通過速度を算出し、通過速度が所定の速度以上の時に、前記警告音声出力手段に警告音声を出力させるように構成することにより、慌てて道路に飛び出そうとした時や、走って道路に飛び出そうとした時にのみ警告音声を出力することが可能になり、警告音声に対する慣れの問題をさらに低減することが可能になる。
また、検出センサとして高さ検出用の少なくとも二つの高さ検出センサを設け、前記少なくとも二つの高さ検出センサを縦方向に並べて設け、前記制御装置を、少なくとも二つの高さ検出センサからの検出結果に基づいて、高さ検出センサの前を通過した人の身長を判断し、所定の身長以下の人が通過した時に、前記警告音声出力手段に警告音声を出力させるように構成することにより、検出センサの前を子供が通過した時のみ、警告音声を出力することが可能になる。
さらにまた、タイマー又は光検出手段をさらに設け、前記制御装置を、前記光検出手段の検出結果に基づいて日中と夜間とを判断すると共に、少なくとも二つの方向検出センサからの検出結果に基づいて人の通過方向を判断し、日中は、人が道路に向かって出て行く方向に通過した時に、前記警告音声出力手段に警告音声を出力させ、夜間は、人が道路から建物に入っていく方向に通過した時に、前記警告音声出力手段に警告音声を出力させるように構成することにより、日中は飛出事故防止装置として利用でき、夜間は防犯用警報器として利用することが可能になる。
【考案を実施するための最良の形態】
【０００６】
以下、添付図面に示した一実施例を参照しながら、本考案に係る飛出事故防止装置の幾つかの実施の形態を説明していく。
図１は、本考案に係る飛出事故防止装置の一実施例の概略正面図である。
図中符号１は、支柱を示しており、この支柱１は、例えば水タンク等で構成される土台部分２にねじ留め等の適当な方法で固定されている。
支柱１の上部には注意喚起用表示体３が固定されている。この注意喚起用表示体３は、道路を走行中の自動車等の乗り物のドライバーに、道路に人、特に子供が飛び出す可能性があることを示唆してドライバーの注意を喚起するためのもので、好ましくは、図１に示すように走っている子供の図案等が描かれている。
支柱１の頂部には、飛出防止用警告手段４が設けられている。
図２は、飛出防止用警告手段４の概略ブロック図である。
この飛出防止用警告手段４は、人の通過を検出する人感センサ５と、警告音声出力手段６と、制御手段７とを備えている。警告音声出力手段６は例えばスピーカー等で構成され得る。
人感センサ５は、該センサの前を人が通過したことを検出するセンサであり、例えば、赤外線センサ、超音波センサ又は可視光センサ等が用いられる。
制御手段７は、検出部７ａ及び警告出力部７ｂを備え、検出部７ａは人感センサ５からの信号を入力し、該人感センサ５からの信号に基づいて人がセンサの前を通過したか否かを検出する。検出部７ａは、人の通過を検出すると警告出力部７ｂを介して警告音声出力手段６に警告音声を出力させる。
警告出力部７ｂは、単なる警告音を警告音声出力手段６に出力するように構成されていてもよいが、警告音以外の音声、例えば、人の声を出力させるように構成されていてもよい。人の声を出力するように構成する場合、警告出力部７ｂに予め警告音声を記憶させておいてもよいが、例えば、マイクを通して使用者が自分の声を警告出力部７ｂに録音できるように構成して、録音した声を出力するようにしてもよい。例えば、親の声で警告するように構成しておけば、子供の注意をより喚起することができる。
前記飛出事故防止装置は、頂部に設けた飛出防止用警告手段４で背の低い子供の通過を検知することができるように、限定するわけではないが、好ましくは、その支柱１の高さが１２０ｃｍ程度にされ得る。また、走っている子供の図案等が描かれて注意喚起用表示体３は、走行中のドライバーから良く見えるように、限定するわけではないが、好ましくは高さ５０ｃｍ程度の大きさで構成され得る。
上記したように構成された飛出事故防止装置は、例えば、道路に面した家の門等に、注意喚起用表示体３がドライバーから見え、かつ、飛出防止用警告手段４が門を通過する人（特に子供）を検知することができるように設置される。具体的には、例えば、図１の図面においては、支柱１の左側が建物で、右側が道路であり、注意喚起用表示体３は図面の正面から図面の奥に向けて走行する乗り物のドライバーに見えるように設置されている。
【０００７】
この実施例では、支柱の頂部に設けた飛出防止用警告手段４で背の低い子供の通過を検知することができるように、支柱１の高さを１２０ｃｍとしているが、支柱の高さや警告音声出力手段を設ける位置は本実施例に限定されることなく、例えば、支柱を１８０ｃｍ程度の高さにして、その支柱の中間部分に飛出防止用警告手段４を設けてもよい。
上記したように構成された飛出事故防止装置は、道路に面した建物の入口に、その注意喚起用表示体３が道路を走行中の自動車等の乗り物のドライバーから見え、かつ、飛出防止用警告手段がその入口を通る人を検知できるように配置される。
これにより、飛出事故防止装置を設置するだけで、ドライバー及び人の両方に飛び出しによる事故の可能性があることを警告することが可能になる。
【０００８】
図３は本考案に係る飛出事故防止装置の第二の実施例を示している。
図中符号１０は支柱を示しており、この支柱１０は土台部分１１に固定されている。
支柱１０には、図１の実施例と同様に注意喚起用表示体１２が設けられている。図３では注意喚起用表示体１２は略図で示されているが、実際には、この注意喚起用表示体１２は、図１の実施例と同様に、道路を走行中の自動車等の乗り物のドライバーに、道路に人、特に子供が飛び出す可能性があることを示唆してドライバーの注意を喚起するために子供の図案等が描かれている。
支柱１０には、飛出防止用警告手段１３が設けられている。
図４は、飛出防止用警告手段１３の概略ブロック図である。
この飛出防止用警告手段１３は、人の通過を検出する三つの人感センサ１４，１５及び１６、光検出センサ１７、警告音声出力手段１８及び制御手段１９を備えている。
三つの人感センサ１４，１５及び１６は、何れも、該センサの前を人が通過したことを検出するセンサであり、例えば、赤外線センサ、超音波センサ又は可視光センサ等が用いられる。
第１人感センサ１４及び第２人感センサ１５は、支柱１０における注意喚起用表示体１２の下方に横に並べて配置される。第１人感センサ１４及び第２人感センサ１５が設けられる位置は犬や猫等の動物等の通過は検知しないが、幼児の通過は検知できるように、例えば、地上から１００ｃｍ前後の高さにされ得る。
第３人感センサ１６は、支柱１０における注意喚起用表示体１２の上方に配置される。第３人感センサ１６が設けられる位置は、幼児や子供の通過は検知しないが、大人の通過は検知できるように、例えば、地上から１５０ｃｍ前後の高さにされ得る。
光検出センサ１７は、昼夜を検出するためのセンサである。
制御手段１９は、各センサからの信号を入力し、所定の条件で警告音声出力手段１８に警告音を出力させる。
図４は制御手段１９の構成を示す概略ブロック図である。
図面に示すように、この制御手段１９は、速度及び方向検出部１９ａ、高さ検出部１９ｂ、昼夜検出部１９ｃ、判定部１９ｄ及び警告出力部１９ｅを備えている。
速度及び方向検出部１９ａは、第１人感センサ１４及び第２人感センサ１５からの信号を入力し、飛出事故防止装置の前を人がどちらの方向にどの程度の速度で通過したかを検出する。具体的には、速度及び方向検出部１９ａは第１人感センサ１４及び第２人感センサ１５からの信号の入力タイミングに基づいて人の通過方向を判断する。即ち、第１人感センサ１４からの信号が入力された後に第２人感センサ１５からの信号が入力された場合には、人が第１人感センサ１４側から第２人感センサ１５側に向かう方向に通過したと判断し、逆であれば反対方向に通過したと判断する。また、速度及び方向検出部１９ａは、第１人感センサ１４からの入力と第２人感センサ１５からの入力との間の時間差によって人の通過速度を判断する。
高さ検出部１９ｂは、第１人感センサ１４、第２人感センサ１５及び第３人感センサ１６からの入力信号に基づいて飛出事故防止装置の前を人の背の高さを検出する。具体的には、第１人感センサ１４及び第２人感センサ１５からの入力信号はあるのに第３人感センサ１６からの入力信号がない場合には高さ検出部１９ｂは通過した人の背が低いと判断し、第１人感センサ１４、第２人感センサ１５及び第３人感センサ１６の全てのセンサからの入力信号がある場合には高さ検出部１９ｂは通過した人の背が高いと判断する。
昼夜検出部１９ｃは光検出センサ１７からの信号に基づいて日中か深夜かを検出する。尚、光検出センサ１７はタイマーに代えてもよい。
判定部１９ｄは、速度及び方向検出部１９ａ、高さ検出部１９ｂ及び昼夜検出部１９ｃからの検出結果に基づいて、検出結果が予め設定した所定の条件を満たした時に、警告出力部１９ｅを介して警告音声出力手段１８に警告音声を出力させる。
判定部１９ｄが警告音声を出力すると判定する条件は様々な条件が考えられるが、具体的には、例えば、下記の条件が挙げられる。
・条件Ａ：昼夜検出部１９ｃからの検出結果が「日中」であり、高さ検出部１９ｂからの検出結果が「背が低い」であり、速度及び方向検出部１９ａからの検出結果が「建物から道路の方向で所定の速度以上で通過した」である場合。この場合には、昼間に子供が走って道路に飛び出そうとしていると判断して警告音声を出力する。
・条件Ｂ：昼夜検出部１９ｃからの検出結果が「日中」であり、高さ検出部１９ｂからの検出結果が「背が高い」であり、速度及び方向検出部１９ａからの検出結果が「建物から道路の方向で所定の速度（条件Ａより早い速度）以上で通過した」である場合。この場合には、昼間に大人が、かなり急いで道路に飛び出そうとしていると判断して警告音声を出力する。
・条件Ｃ：昼夜検出部１９ｃからの検出結果が「日中」であり、速度及び方向検出部１９ａからの検出結果が「道路から建物の方向に通過した」である場合。この場合には、建物に人が入ってくると判断して警告音声を出力しない。
・条件Ｄ：昼夜検出部１９ｃからの検出結果が「深夜」であり、速度及び方向検出部１９ａからの検出結果が「建物から道路の方向に通過した」である場合。この場合には、深夜に建物から道路へ出ようとしているので、背の高さや通過速度に関係なく警告音声を出力する。
・条件Ｅ：昼夜検出部１９ｃからの検出結果が「深夜」であり、速度及び方向検出部１９ａからの検出結果が「道路から建物の方向に通過した」である場合。この場合には、深夜に不審者が建物に侵入しようとしている可能性があると判断して、背の高さや通過速度に関係なく警告音声を出力する。尚、この場合の警告音声は建物から道路へ出る場合の警告音声とは異なる警告音声に設定してもよい。
上記したように構成することにより、飛出事故防止装置がドライバー及び人の両方に飛び出しによる事故の可能性があることを警告することが可能になることは勿論のこと、飛出事故防止装置を夜間は防犯装置として機能させることも可能になる。
また、上記したように構成することで、危険な道路への飛出し行為があった場合のみに警告音声を出力することができるので、長期間使用しても警告音声に慣れてしまうことがない。
【０００９】
上記した第二の実施例では、昼夜の検出、通過方向の検出、通過速度の検出及び背の高さの検出を組み合わせて警告音声を発するように構成されているが、この構成は本実施例に限定されることなく、使用環境等に応じて、例えば、通過方向のみを検出するように構成してもよく、通過方向と背の高さのみを検出してもよく、さらに、背の高さのみを検出するように構成してもよい。
【図面の簡単な説明】
【００１０】
【図１】本考案に係る飛出事故防止装置の一実施例の概略正面図である。
【図２】飛出防止用警告手段４の概略ブロック図である。
【図３】本考案に係る飛出事故防止装置の第二の実施例の概略正面図である。
【図４】飛出防止用警告手段１３の概略ブロック図である。
【符号の説明】
【００１１】
１  支柱
２  土台部分
３  注意喚起用表示体
４  飛出防止用警告手段
５  人感センサ
６  警告音声出力手段
７  制御手段
７ａ  検出部
７ｂ  警告出力部
１０  支柱
１１  土台部分
１２  注意喚起用表示体
１３  飛出防止用警告手段
１４  第１人感センサ
１５  第２人感センサ
１６  第３人感センサ
１７  光検出センサ
１８  警告音声出力手段
１９  制御手段
１９ａ  速度及び方向検出部
１９ｂ  高さ検出部
１９ｃ  昼夜検出部
１９ｄ  判定部
１９ｅ  警告出力部
【図２】
0003156639.tif 000003
【図３】
0003156639.tif 000004
【図４】
0003156639.tif 000005
【図１】
0003156639.tif 000006
【手続補正書】
【提出日】平成21年11月2日(2009.11.2)
【手続補正１】
【補正対象書類名】実用新案登録請求の範囲
【補正対象項目名】全文
【補正方法】変更
【補正の内容】
【実用新案登録請求の範囲】
【請求項１】
道路を走行中の自動車等の乗り物のドライバーに、道路に人が飛び出す可能性があることを注意喚起する注意喚起用表示体と、
道路に面した建物から不注意に人が道路へ飛び出すことを防止するための飛出防止用警告手段と、
前記注意喚起用表示体及び飛出防止用警告手段とが取り付けられた支柱と
を備え、
前記飛出防止用警告手段が、
人の通過を検出する検出手段と、
警告音声出力手段と、
前記検出手段が、人の通過を検知した時に前記警告音声出力手段に警告音声を出力させる制御手段と
を備えている
ことを特徴とする飛出事故防止装置。
【請求項２】
前記検出手段が、方向検出用の少なくとも二つの方向検出センサを備え、
前記少なくとも二つの方向検出センサが横方向に並べて設けられ、
前記制御手段が、少なくとも二つの方向検出センサからの検出結果に基づいて人の通過方向を判断し、人が道路に向かって出て行く方向に通過した時に、前記警告音声出力手段に警告音声を出力させるように構成されている
ことを特徴とする請求項１に記載の飛出事故防止装置。
【請求項３】
前記制御手段が、前記少なくとも二つの方向検出センサからの検出結果に基づいて、人の通過速度を算出し、通過速度が所定の速度以上の時に、前記警告音声出力手段に警告音声を出力させるように構成されている
ことを特徴とする請求項２に記載の飛出事故防止装置。
【請求項４】
前記検出手段が、高さ検出用の少なくとも二つの高さ検出センサを備え、
前記少なくとも二つの高さ検出センサが、縦方向に並べて設けられ、
前記制御手段が、少なくとも二つの高さ検出センサからの検出結果に基づいて、高さ検出センサの前を通過した人の身長を判断し、所定の身長以下の人が通過した時に、前記警告音声出力手段に警告音声を出力させるように構成されている
ことを特徴とする請求項１〜３の何れか一項に記載の飛出事故防止装置。
【請求項５】
さらに、光検出手段を備え、
前記制御手段が、前記光検出手段の検出結果に基づいて日中と夜間とを判断すると共に、少なくとも二つの方向検出センサからの検出結果に基づいて人の通過方向を判断し、
日中は、人が道路に向かって出て行く方向に通過した時に、前記警告音声出力手段に警告音声を出力させ、
夜間は、人が道路から建物に入っていく方向に通過した時に、前記警告音声出力手段に警告音声を出力させる
ことを特徴とする請求項２又は３に記載の飛出事故防止装置。
【請求項６】
さらに、タイマーを備え、
前記制御手段が、前記タイマーの検出結果に基づいて日中と夜間とを判断すると共に、少なくとも二つの方向検出センサからの検出結果に基づいて人の通過方向を判断し、
日中は、人が道路に向かって出て行く方向に通過した時に、前記警告音声出力手段に警告音声を出力させ、
夜間は、人が道路から建物に入っていく方向に通過した時に、前記警告音声出力手段に警告音声を出力させる
ことを特徴とする請求項２又は３に記載の飛出事故防止装置。
【手続補正２】
【補正対象書類名】明細書
【補正対象項目名】０００４
【補正方法】変更
【補正の内容】
【０００４】
上記した目的を達成するために、本考案に係る飛出事故防止装置は、道路を走行中の自動車等の乗り物のドライバーに、道路に人が飛び出す可能性があることを注意喚起する注意喚起用表示体と、道路に面した建物から不注意に人が道路へ飛び出すことを防止するための飛出防止用警告手段と、前記注意喚起用表示体及び飛出防止用警告手段とが取り付けられた支柱とを備え、前記飛出防止用警告手段が、人の通過を検出する検出手段と、警告音声出力手段と、前記検出手段が、人の通過を検知した時に前記警告音声出力手段に道路への飛び出しを防止するための警告音声を出力させる制御手段とを備えていることを特徴とする。
前記検出手段は、例えば、方向検出用の少なくとも二つの方向検出センサを備えていてもよく、この場合、前記少なくとも二つの方向検出センサは横方向に並べて設けられ、前記制御手段は、少なくとも二つの方向検出センサからの検出結果に基づいて人の通過方向を判断し、人が道路に向かって出て行く方向に通過した時に、前記警告音声出力手段に警告音声を出力させるように構成され得る。
上記したように、検出センサが、例えば、方向検出用の少なくとも二つの方向検出センサを備えている場合、前記制御手段は、前記少なくとも二つの方向検出センサからの検出結果に基づいて、人の通過速度を算出し、通過速度が所定の速度以上の時に、前記警告音声出力手段に警告音声を出力させるように構成され得る。
また、前記検出手段は、例えば、高さ検出用の少なくとも二つの高さ検出センサを備えていてもよく、この場合、前記少なくとも二つの高さ検出センサは、縦方向に並べて設けられ、前記制御手段は、少なくとも二つの高さ検出センサからの検出結果に基づいて、高さ検出センサの前を通過した人の身長を判断し、所定の身長以下の人が通過した時に、前記警告音声出力手段に警告音声を出力させるように構成され得る。
さらに、本考案に係る飛出事故防止装置は、さらに、タイマー又は光検出手段を備えていてもよく、この場合、前記制御手段は、前記タイマー又は前記光検出手段の検出結果に基づいて日中と夜間とを判断すると共に、少なくとも二つの方向検出センサからの検出結果に基づいて人の通過方向を判断し、日中は、人が道路に向かって出て行く方向に通過した時に、前記警告音声出力手段に警告音声を出力させ、夜間は、人が道路から建物に入っていく方向に通過した時に、前記警告音声出力手段に警告音声を出力させるように構成され得る。
【手続補正３】
【補正対象書類名】明細書
【補正対象項目名】０００５
【補正方法】変更
【補正の内容】
【０００５】
本考案に係る飛出事故防止装置は、道路を走行中の自動車等の乗り物のドライバーに、道路に人が飛び出す可能性があることを注意喚起する注意喚起用表示体と、道路に面した建物から不注意に人が道路へ飛び出すことを防止するための飛出防止用警告手段と、前記注意喚起用表示体及び飛出防止用警告手段とが取り付けられた支柱とを備え、前記飛出防止用警告手段が、子供の通過を検出する検出センサと、警告音声出力手段と、前記検出センサが、子供の通過を検知した時に前記警告音声出力手段に道路への飛び出しを防止するための警告音声を出力させる制御手段とを備えているので、注意喚起用表示体によってドライバーに対して、道路に人が飛び出す可能性があることを警告すると共に、建物から道路へ出ようとする人に対しては、警告音声によって道路への飛び出しが危険であることの注意を促す。警告音声を発することにより、例えば、遊びや運動に夢中になっている子供に対しても、道路への飛び出しが危険であることを気付かせることができ、道路への飛び出しを大幅に低減させることができる。このように、ドライバーへの警告と共に、人に対しても飛び出しに対する警告をすることにより、道路への飛び出しによる交通事故を大幅に低減させることができる。
また、前記検出センサとして方向検出用の少なくとも二つの方向検出センサを設け、前記少なくとも二つの方向検出センサを横方向に並べて設け、前記制御手段を、少なくとも二つの方向検出センサからの検出結果に基づいて人の通過方向を判断し、人が道路に向かって出て行く方向に通過した時に、前記警告音声出力手段に警告音声を出力させるように構成することにより、道路に出て行く時のみ警告音声を出力することができるようになるので、無駄な警告音声を出力することがない。無駄な警告音声を出力すると、うるさいばかりでなく、警告音声に慣れてしまう可能性があり、その結果、警告音声を聞いても注意を払わなくなる可能性で生じるが、このような問題が生じない。
さらに、前記制御手段を、前記少なくとも二つの方向検出センサからの検出結果に基づいて、人の通過速度を算出し、通過速度が所定の速度以上の時に、前記警告音声出力手段に警告音声を出力させるように構成することにより、慌てて道路に飛び出そうとした時や、走って道路に飛び出そうとした時にのみ警告音声を出力することが可能になり、警告音声に対する慣れの問題をさらに低減することが可能になる。
また、検出センサとして高さ検出用の少なくとも二つの高さ検出センサを設け、前記少なくとも二つの高さ検出センサを縦方向に並べて設け、前記制御手段を、少なくとも二つの高さ検出センサからの検出結果に基づいて、高さ検出センサの前を通過した人の身長を判断し、所定の身長以下の人が通過した時に、前記警告音声出力手段に警告音声を出力させるように構成することにより、検出センサの前を子供が通過した時のみ、警告音声を出力することが可能になる。
さらにまた、タイマー又は光検出手段をさらに設け、前記制御手段を、前記光検出手段の検出結果に基づいて日中と夜間とを判断すると共に、少なくとも二つの方向検出センサからの検出結果に基づいて人の通過方向を判断し、日中は、人が道路に向かって出て行く方向に通過した時に、前記警告音声出力手段に警告音声を出力させ、夜間は、人が道路から建物に入っていく方向に通過した時に、前記警告音声出力手段に警告音声を出力させるように構成することにより、日中は飛出事故防止装置として利用でき、夜間は防犯用警報器として利用することが可能になる。